(57)【要約】本発明は、代替え医学治療に用いるチップの特定材料組成を含む。このチップを種々の病気の治癒を増進するために、身体の種々部位表面に配置する。チップはトルマリン（２０−４０％）、赤外線材料（３０−５０％）、柔軟な磁性材料（５−１０％）、光触媒材料（１−５％）、希土類酸化物類又は塩類（１−５％）、酸化カルシウム（５−１０％）、接着材料（２−５％）及び包接化合物材料（１−５％）を含む。チップは材料を一緒に混合粉砕して製造し、金型に入れ、圧縮し、金型から取り出し、焼結して、次いで空冷する。【選択図】  なし【特許請求の範囲】
【請求項１】
本発明は、医療器具で、代替医療分野で慢性疾患のリハビリテーション治療に使用できる健康回復チップキットであり、以下の８つの材料（鉱石形状又は粉末形状）、すなわち、極性鉱物トルマリン２０−４０％、赤外線材料３０−５０％、柔軟な磁性材料５−１０％、光触媒ナノメーター材料１−５％、希土類複合塩又は酸化物１−５％、酸化カルシウム５−１０％、接着材料２−５％及び包接化合物材料１−５％で処方される健康回復チップキット。
【請求項２】
前記チップを作製するために、以下の材料が選ばれる、すなわち、
極性鉱物トルマリン鉱石（美しいヒスイ）は、鉄トルマリン、マグネシウムトルマリン、鉄とマグネシウムトルマリン及びリチウムトルマリンを含む単一トルマリン又は幾つかの形のトルマリンの一つ以上の混合物であり得、赤外線材料は、結晶サファイア酸化物（Al2O3）と酸化マグネシウム（MgO）の内の一つか、又は混合物のいずれかであり得、柔軟な磁性材料は、第一酸化鉄（FeO）と第二酸化鉄（Fe2O3）の内の一つか、又は混合物のいずれかであり得、光触媒材料は以下の材料すなわち、酸化チタン（TiO2）、酸化亜鉛（ZnO）、酸化錫（SnO）及び酸化タングステン（WO）のいずれかから選択でき、希土類複合塩又は酸化物は、希土類複合塩ではLaPO4, NdPO4, Ce(NO3)3 及びLa(NO3)の中の一つ又は一つ以上、希土類酸化物ではCeO2, Ce2O3, La2O3及び Nd2O3の中の一つ又は一つ以上であり、接着材料はステアリン酸、ポリ塩化ビニル、松脂、亜麻油及びヒマシ油の中の一つ又は一つ以上から選ばれ、包接化合物材料は、メチルセルロース、液体パラフィンワックス、松ヤニ及びポリ塩化ビニルの中の一つ又は一つ以上から選ばれる、請求項１に記載のチップ。
【請求項３】
前記チップを作製するために、極性鉱物トルマリンを、微粉末にごく普通に砕き、高エネルギーボールミルに入れてすりつぶすか、又は４８乃至７２時間気流石臼により粉砕する。いずれの工程によっても、結晶性粒径が１０ミクロンより小さい非常に微細な粒子となる。次いで５００乃至１０００℃間の温度範囲で、約２乃至３時間熱処理を適用する。同様の手続きを又赤外線材料に適応する。しかし光触媒材料は、同様の処理又はナノメーター処理手続きのみで処理できる、請求項１に記載のチップを作製する処方。
【請求項４】
請求項１に必要なチップを作製するための製造法と処理手続きは以下の通りで、請求項１の処方に記載の全材料（極性鉱物トルマリンのナノメーター粉末、赤外線材料及び光触媒材料）を、粉砕混合機に入れ、少なくとも一時間粉砕混合する。混合した材料を所定形状に従う金型板に入れる。圧力は２０乃至５０Ｍｐａである。圧縮後、形成チップを金型板から取り出し、熱処理により焼結する。熱処理工程では、温度は５００乃至１０００℃である。処理時間は２乃至３時間である。次いでチップを室温で自己冷却のために４８乃至７２時間放置し、チップを完成する。
請求項１に記載のチップを作製するための製造法と処理手続き。
【請求項５】
異なる大きさと形状の金型板を使用して、異なる大きさと形状のチップが作製できる請求項２に記載のチップ。
【請求項６】
前記チップは種々の慢性疾患のリハビリテーション治療に利用でき、人体に有害でなく、エコロジーと環境に無害であり、以下の治療、すなわち、鍼灸療法、マッサージこすり療法、吸角療法、薬物ペースト、電気療法、磁力療法、赤外線療法、理学療法、めい想、中華式気功、インド式ヨガ、長期の漢方薬草薬及び西洋医薬に対し有効に置換できる、請求項１または２に記載のチップ。
【請求項７】
前記チップは鍼療法理論と、本発明の方法と技法に従って、人体外側上で使用され、このキットによる治療は、針、薬物、電気及び放射線を含まないという事実により、他の代替え治療より安全で、非観血的で、且つ使用が容易である請求項３に記載のチップ。
【請求項８】
前記チップは常に化合物の芳香族シュウ酸アルデヒドを放出し、身体の皮膚細胞の特定受容体を刺激活性化し、特に芳香族シュウ酸アルデヒド受容体は、人体の鍼療法のツボでより有効で、全身系と機能を制御し、慢性疾患から回復する、請求項３に記載のチップ。
【請求項９】
前記チップは身体内部に埋め込み、鍼療法のツボの皮下組織、又は身体の他部分のいずれかに配置して、特定の慢性疾患を治療できる、請求項３に記載のチップ。
【請求項１０】
健康回復チップキットは、請求項１、２または３に記載のチップ、表面流体、強化膜及び山ヒスイ突き錐からなり、表面液体はチップ調整済み水から作製し、チップと身体の皮膚間の表面に塗布し、増強膜はポリエチレンテレフタレート（ＰＥＴ）で作製され、チップをツボに保持するのを助け、有効性を増加し、山ヒスイ突き錐は山ヒスイから作製し、ツボを見いだし刺激するのを助け、治療のより高い有効性を達成する、健康回復チップキット。
【発明の詳細な説明】
【技術分野】
【０００１】
本発明は代替え治療における慢性疾患用の本医療キットの製造手順方法及び使用に関する情報を提供する。
【背景技術】
【０００２】
慢性疾患は人を大いに悩まし、最大の死亡者数と医療費の原因となる。慢性疾患はしばしば未確認の多くの原因に帰され、単一の特定生物医学的治療が無力となり、不応性慢性疾患のままである。慢性病疾患は生涯にわたるかも知れない長期薬物治療を必要とし、忙しい投薬とその関連毒性と副作用を引き起こす。例えば関節炎用にメルク社（Merck & Co. Inc.）が開発したビオックス（Vioxx）は、全世界で６万人の人命を奪い、ベトナム戦争でのアメリカ人死者数を上回る。世界で薬物の有害事象により約百万人が毎年死亡する。中国では毎年薬物の有害事象により約１９万人が死亡し、主要伝染病で死ぬ者の１０倍も多い（有害事象の予防と管理での序言、２００２版、ピープル医学出版社（People's Medical Publishing House）参照）。
【０００３】
薬物の有害事象の増加を避けるために、幾つかの非薬物治療が始まり、幾つかの先進国では補完代替医療（ＣＡＭ）が広く使用されはじめた。しかし現行のＣＡＭ法は多くの落とし穴があり、実施が困難で、高価で、効果が不明確で、耐え難いほどの痛みを含む。それ故ＣＡＭは新規の技術と装置が必要である。最近１０年で、リハビリＣＡＭ装置が現れ、診断目的の装置数を上回った（チャイナメディカルマシン（China Medical Machines）、２００１年、７巻、４６頁参照）。治療目的で最近発明使用された機械は、通常活動的機械、即ち放射線療法、マイクロ波療法、高周波療法、超音波療法、レーザー療法、ミリ波療法、赤外線療法に分類される電気動力医療機器であり、更には音、光、電気、磁力、力学、薬物さえも利用する他の装置である。この機械類と装置類は、感電、過剰出力、エネルギー異常、爆発、火災の危険、機能停止、異常動作、停電、機械工の事故、医療事故、細菌汚染及び他機械の妨害を含む危険を人体に冒す（チャイナメディカルマシン（China Medical Machines）、２００１年、７巻、１号参照）。受動的医療機械はしばしば非観血的で、針、電気、電気―機械部品及び放射能を使用しない。非観血的に関わらず慢性疾患に明白なリハビリ効果を有する医療機械は、今まで登場してこなかった。
【発明の開示】
【０００４】
本発明の健康回復チップキットは複合医療器具で、チップ、表面流体、作用膜、山ヒスイ突き錐、包帯及び綿棒からなる。より良い代替え療法として慢性疾患治療を意図する。
【０００５】
主構成部品はチップで、極性鉱物トルマリン、赤外線材料、柔軟な磁性材料、光触媒材料、希土類の複合塩又は酸化物、酸化カルシウム、接着材料及び包接化合物材料でできている。本チップの製造は、超微少ナノメーター処理工程により行われる。接着剤と包接化合物材料を成型熱処理前に添加する。
【０００６】
本器具は広範囲の慢性疾患のリハビリテーション治療に利用できる。人体に安全で、エコロジーと環境に無害である。以下の治療により有効なことが認められた。鍼灸療法、マッサージこすり療法、吸角療法、薬物ペースト、電気療法、磁力療法、赤外線療法、理学療法、めい想、中華式気功、インド式ヨガ、長期の漢方薬草薬及び西洋医薬。それ故より良好な代替えとして上記の伝統的治療を置き換えられる。
【発明を実施するための最良の形態】
【０００７】
本発明の一つ又は複数の健康回復チップの詳細な製造法と適用法の詳細を、本文書で証明する。このキットは、鍼療法、吸角療法やマッサージ療法のような伝統的代替え医療を置き換える有効な器具である。種々の鍼療法のツボにチップを、一回ごとに２４時間以下の期間塗布して治療を行う。非観血的で、安全で、より少ない労働力で、且つ環境的に優しい。針、薬物、電気、磁性及び放射線なしで慢性ではあるが非伝染性疾患の治療に用いられている。
〔製造法と手順〕
【０００８】
１．チップ類の製造法と処理手続き
【０００９】
１．１  チップ作製の原材料は以下のもの（重量で）からなる。（１）極性鉱物トルマリン、２０−４０％；（２）赤外線材料、３０−５０％；（３）柔軟な磁性材料、５−１０％；（４）光触媒材料、１−５％；（５）希土類複合塩又は酸化物、１−５％；（６）酸化カルシウム、５−１０％；（７）接着材料、２−５％；（８）包接化合物材料、１−５％。
【００１０】
１．２  構成成分の選択
【００１１】
１．２．１  極性鉱物トルマリン鉱石（美しいヒスイ）は、豊富な恒久的電解質を有し、１０種以上のケイ酸塩鉱石を有する。本発明では鉄トルマリン、マグネシウムトルマリン、鉄―マグネシウムトルマリン及びリチウムトルマリンの内の一つか、又は一つ以上を選ぶ。
【００１２】
１．２．２  赤外線材料は、赤外線を透過する必要があり、明確な波長の赤外線に関して明確な透過率、屈折と色分散を有する必要がある。本発明では結晶サファイア酸化物（Al2O3）と酸化マグネシウム（MgO）の内の一つか、又は両者を選ぶ。
【００１３】
１．２．３  柔軟な磁性材料は、磁場により繰り返し磁化と容易な消磁が可能である。本発明では第一酸化鉄（FeO）と第二酸化鉄（Fe2O3）の内の一つか、又は両者を選ぶ。
【００１４】
１．２．４  光触媒材料（又はナノメーター粉末）として、本発明では酸化チタン（TiO2）、酸化亜鉛（ZnO）、酸化錫（SnO）及び酸化タングステン（WO）の中から少なくとも一つを選ぶ。
【００１５】
１．２．５  希土類複合塩又は酸化物は混合材で、本発明ではLaPO4, NdPO4, Ce(NO3)3 及びLa(NO3)の中の一つ又は一つ以上の希土類複合塩、 CeO2, Ce2O3, La2O3及び Nd2O3の中の希土類複合酸化物のいずれかを選ぶ。
【００１６】
１．２．６  酸化カルシウム（CaO）
【００１７】
１．２．７  接着材料はステアリン酸、ポリ塩化ビニル、松脂、亜麻油及びヒマシ油の中の一つ又は一つ以上である。
【００１８】
１．２．８  包接化合物材料は、メチルセルロース、液体パラフィンワックス、松ヤニ及びポリ塩化ビニルの中の一つ又は一つ以上である。
【００１９】
１．３  チップ製造と技術的処理手続き
【００２０】
１．３．１  ナノメーターペレット処理手続きと熱処理：極性鉱物のトルマリンを、ごく普通に微粉末に砕き、高エネルギーボールミルに入れてすりつぶすか、又は４８乃至７２時間気流石臼により粉砕する。いずれの工程によっても、結晶性粒径が５０乃至１０００ナノメーターの非常に微細な粒子となる。次いでナノメーター処理手続き後のトルマリン材料を５００乃至１０００℃の温度範囲で、２乃至３時間熱処理を適用する。同様の手続きを赤外線材料に適用する。しかし光触媒材料は、同様の処理又はナノメーター処理手続きのみで処理できる。
【００２１】
１．３．２  処方物の充填と混合比率：本発明の処方に従うと、８つの材料による処方物充填比率は、極性鉱物トルマリンナノメーター粉末２０−４０％、赤外線材料ナノメーター粉末３０−５０％、柔軟な磁性材料５−１０％、光触媒材料ナノメーター粉末１−５％、希土類複合塩又は酸化物１−５％、酸化カルシウム粉末５−１０％、接着材料２−５％及び包接化合物材料１−５％である。列挙した８つの材料を粉砕混合機に入れ、粉砕混合する。十分に混合するために、混合時間は１時間より短くはない。
【００２２】
１．３．３  チップの形成焼結のための圧縮：混合した材料を所定形状に従う金型板に入れる。圧力は２０乃至５０MPaである。圧縮後、形成チップを金型板から取り出し、熱処理により焼結する。熱処理は５００乃至１０００℃の温度で２乃至３時間の間行う。次いでチップを自己冷却のために室温で４８乃至７２時間放置して、チップを完成する。
【００２３】
１．４  チップは多くの異なる大きさ、形状及び厚さを持てる。臨床研究での共通基準の熟慮したチップは、直径が２５ｍｍ以上で、厚みが３ｍｍ以上である。
【００２４】
２．表面流体の製造
本発明の表面流体製造法：完成チップ１乃至３個を静浄水１００ｍｌに１時間浸漬し、次いでこの水を瓶詰めする。チップは直径２５ｍｍ以上、厚み３ｍｍ以上の標準の大きさと形状を有する。
【００２５】
３．山ヒスイ突き錐の製造
本発明の山ヒスイ突き錐の製造法：中国遼寧（Liaoning）省の山ヒスイ鉱石を突き錐形状に切断研磨する。突き錐は直径０．６乃至０．８ｃｍ、長さ７ｃｍの底部と鈍い先端を有する。
【００２６】
４．効率増強膜の製造
本発明の効率増強膜の製造法：鎖状低密度ひも形状ポリエチレン（ＬＬＤＰＥ）をコーンオイルと混合し、耐熱性が１１５°Ｃを超えない高温で、耐寒性が―６０°Ｃ以下の低温でない厚さ０．１８ｍｍの延伸膜を作製する。膜を巻いて幅５ｃｍに切断する。
【００２７】
健康回復チップキット使用の標準手続きと方法
【００２８】
１．人体皮膚上治療点の検出
【００２９】
１．１  鍼療法のつぼ：漢方医学と鍼療法療理論に従う。
【００３０】
１．２  圧覚点：病理変化による関連臓器を反映する身体の関連対応皮膚点。
【００３１】
１．３  感知点：山ヒスイ突き錐を用いて、異なる病理条件で異なると考えられる感知皮膚点の探索。
【００３２】
２．チップのツボへの塗布
【００３３】
２．１  表面流体をチップに塗布するか、又は選択した皮膚点に塗布後、チップをそのツボに配置する。
【００３４】
２．２  効率増強膜を用いて、チップを皮膚点に４０乃至６０分間固定する。膜は又治療効果を増強する。
【００３５】
２．３  通常の包帯又は綿バンドを用いて、チップを適切なツボに保ち、穏やかな効果を保つことができる。増強膜と通常の包帯間の違いは、膜は包帯より有効であることである。
【００３６】
２．４  ４０乃至６０分後、チップをツボから取り外し、きれいにして一セッションを終える。
【００３７】
２．５  チップは又幾つかの慢性疾患を治療するために、人体の皮膚点下又は臓器に埋め込むことができる。
【００３８】
本発明は大部分の慢性疾患のリハビリテーション治療に利用でき、以下の疾患に限定されない。
【００３９】
１．慢性痛：頭痛、三叉神経痛、冠動脈ディスク疾患、肩疼痛、腰負担、腰痛、頸痛と腰痛の共存、椎間板疾患、関節リューマチ、痛風性関節炎、肋間神経痛、距骨神経痛、骨粗鬆症、腰骨過形成、歯痛、脈管炎、ガン
２．神経系疾患と精神病：顔面神経炎、顔面筋けいれん、ベル麻痺、パーキンソン病、脳卒中（半身不随）、脳血管粥状動脈硬化、てんかん、認知症、ヒステリー、うつ疾患、めまい（メニエール病）、不眠症
３．呼吸器系疾患：慢性気管支炎、気管支喘息、気管支拡張（喀血）、風邪、肺気腫
４．消化器系疾患：慢性胃炎、消化性潰瘍、横隔膜けいれん、腸炎、過敏性腸症候群（ＩＢＳ）、便秘、慢性肝炎、脂肪肝、慢性胆嚢炎、胆石
５．循環系疾患：高血圧症、高脂質血症、冠状動脈性心臓病、心不整脈、心血管神経症
６．泌尿器病：慢性前立腺炎、前立腺肥大、慢性腎炎
７．整形外科系疾患：骨折、関節脱臼
８．婦人科系疾患：月経困難症、月経不順、骨盤膣の炎症、閉経、不妊症、乳管過形成
９．男性疾患：インポテンツ、夢精、早漏症、不妊症
１０．目鼻立ち系疾患：アレルギー性鼻炎、副鼻腔炎、慢性喉頭炎と扁桃炎、耳鳴りと難聴
１１．眼科疾患：白内障、近視、遠視、視覚低下、緑内障、眼乾燥症状、トラコーマ、眼精疲労
１２．内分泌疾患と代謝性疾患：甲状腺機能低下性疾患、糖尿病
１３．腫瘍学系疾患：抗免疫性腫瘍、放射線療法と化学療法による毒作用と副作用
１４．皮膚科系疾患：一般的ざ瘡、黄色斑点、じんましん、神経性皮膚炎、乾癬疾患、縞発疹、湿疹
１５．他の疾患：突発性肥満症、肥満乳房、慢性疲労症候群（最適以下の健康）、エアコン関連症、禁煙、麻薬使用の前歴
〔効果の証拠〕
【００４０】
本発明は、表面治療技術と呼ばれる慢性疾患リハビリテーション用の新技術を提供し、鍼灸療法、マッサージ、触診、こすり療法、発火吸角、薬草膏薬、電気療法、磁力療法、赤外線療法、遠赤外線療法、薬草療法、中華式気功、インド式ヨガを模倣した広範囲な役割を果たすことができる。又長期化学療法に疲れた人を軽減できる。慢性疾患のリハビリテーションに非常に有効である。
【００４１】
この発明者等は医師リューユー（Liu Yu）と一緒に本健康回復チップを、中国健康法運動（Chinese Health Way Campaign）の６つの健康クラブで、２１種類の慢性疾患に悩む患者５９０人に塗布した。患者５９０人の内、男性２７６人、女性３１４人であった。最年少は８才、最年長は８５才であった。最長治療単位は３５日継続し、最短治療単位は１日であった。リハビリテーションチップで治療した疾患は以下の２１種類の疾患を含む。頭痛、慢性鼻炎、冠疾患、高血圧、脳動脈硬化性疾患、期外収縮、椎間板破裂、頚管骨過成長、膝関節炎、肩関節周囲炎、痛風、急性腰椎ねんざ、周期性乳腺症、不眠症、上気道の感染、慢性気管支炎、顔面神経麻痺、湿疹、急性尿路感染症、急性胃腸炎及び歯痛。
【００４２】
健康回復チップユニットにより治療結果
【００４３】
患者９１人までが治癒し、以下のように分類される。１．頭痛：患者１２人（針療法のツボ：インタン（Yintang）、フォンチ（Fengchi）、ヨンクアン（Yongquan）、ヘグー（Hegu）、ネイコワン（Neiguan）、タイヤン（TaiYang）、アシキュー（Ashixue））；２．上気道の感染：患者１５人（鍼療法のツボ：ターツーイ（Dazhui）、ワイガン（Waiguan）、リーケ（Lieque）、キチ（Quichi））；３．慢性気管支炎、患者４人（鍼療法のツボ：インシャン（Yingxiang）、インタン（Yintang）、ヘグー（Hegu）、リーケ（Lieque）、ズーザンリ（Zusanli）、フェイシュ（Feishu））；４．痛風：患者２人（鍼療法のツボ：サンインチャオ（SanYinjiao）、タイシー（Taixi）、ズサンリ（Zusanli）、カンスー（Ganshu）、シェンスー（Shenshu）、アシキュー（Ashixue））；５．歯痛：患者１０人（鍼療法のツボ：シャコワン（Xiaguan）、チヤチェ（Jiache）、フォンチ（Fengchi）、タイヤン（TaiYang）、アシキュー（Ashixue））；６．膝関節炎：患者５人（鍼療法のツボ：ヘディン（Heding）、デゥビ（Dubi）、キーアン（Qiyan）、インリンカン（Yinlingquan）、ズーザンリ（Zusanli）、ワイゾーン（Weizhong）、アシキュー（Ashixue））；７．不眠症：患者５人（鍼療法のツボ：ターツーイ（Dazhui）、アンミアン（Anmian）、フォンチ（Fengchi）、ネイコワン（Neiguan）；８．湿疹；患者１人（鍼療法のツボ：キチ（Quichi）、ネイコワン（Neiguan）、シュハイ（Xuehai）、フォンシ（Fengshi）、ズーザンリ（Zusanli）、サンインチャオ（SanYinjiao））；９．急性胃腸炎；患者６人（鍼療法のツボ：シャンワン（Shangwan）、チョンワン（Zhongwan）、ズーザンリ（Zusanli））、へそ周辺の４つの鍼療法のツボ、アシキュー（Ashixue）；１０．急性腰椎ねんざ：患者１人（鍼療法のツボ：シェンスー（Shenshu）、ワイゾーン（Weizhong）、サンインチャオ（SanYinjiao）、アシキュー（Ashixue））；１１．慢性気管支炎：患者３人（鍼療法のツボ：ターツーイ（Dazhui）、ティアンツ（Tiantu）、レンイン（RenYing）、フェイシュ（Feishu）、ネイコワン（Neiguan）、ディングシュン（Dingchuan）、シャンチョン（Shanzhong）、ズーザンリ（Zusanli）、チーゼ（Chize）；１２．肩関節周囲炎：患者５人（鍼療法のツボ：ルーシュ（Rushu）、チャンチン（Jianjing）、チャンリャオ（Jianliao）、チャンユー（Jianyu））；１３．周期性乳腺症；患者１人（鍼療法のツボ：シャンチョン（Shanzhong）、ルーゲン（Rugen）、ウーイー（Wuyi）、カンシュー（Ganshu）、ピシュー（Pishu）、サンインチャオ（SanYinjiao）；１４．顔面麻痺：患者１人（鍼療法のツボ：ターツーイ（Dazhui）、タイヤン（TaiYang）、シバイ（Sibai）、シャンコワン（Shanguan）、シャコワン（Xiaguan）、ディカン（Dicang）、チヤチェ（Jiache）、ジュリアオ（Juliao））；１５．座骨神経痛：患者２０人（鍼療法のツボ：シェンスー（Shenshu）、バイワンス（Baihuanshu）、ジービアン（Zhibian）、ホワンチアオ（Huantiao）、チェンフー（Chengfu）、インメン（Yinmen）、ウェイチョン（Weizhong）、サンインチャオ（SanYinjiao）。
【００４４】
患者４５５人まで幾つかの確かな有効性を示し、患者２０人ではこれらの疾患は軽減されなかった。（大部分は状態が重症すぎるか、ある理由により治療の継続が不可能なことによる。）
【００４５】
健康法運動（Health Way Campaign）の６つのクラブ会員である患者５９０人について、前に２ヶ月実施した別のトライアルでは、治癒率は１６％、有効性率は７７％、全体の有効性率は９３％であった。
【００４６】
リハビリチップを又慢性疾患治療のために中国の多数の病院で使用した。病院でのトライアルに関する詳細情報は以下の通りである。
【００４７】
Ｉ．この発明者は本チップよりめまいを治療するために広東シャンワイ伝統的漢方医学病院（Guangdong Shanwei Hospital for Traditional Chinese Medicine）の医師達と協力した。治療効果は満足なものである。
【００４８】
１．臨床データについて
患者５４人中、２４人が外来患者で、３０人が入院患者であった。男性２１人、女性３３人であった。最年少患者は１７才、最年長は８７才であった。平均年齢は５０才であった。最短疾病経過は半日、最長は２１年で、平均期間は２．２年であった。患者２５人が脳動脈硬化症を患い、１０人が高血圧症を患い、８人が頚部脊椎症を患い、１４人がメニエール症候群を患い、２人が更年期症候群を患い、３人が過粘稠度症候群を患い、２人が神経衰弱症を患い、１人が脳損傷後遺症を患い、２人が慢性アルコール依存症を患った。患者５４人全てが、めまいを主症状として有した。
【００４９】
２．治療について
５４人の全患者がリハビリテーションチップ治療を受けた。
基本ツボ類：バイホイ（Baihui）、タイヤン（TaiYang）、ネイコワン（Neiguan）、ズーザンリ（Zusanli）
補助ツボ類：腎臓イン（Yin）が欠如している場合には、タイシア（Taixi）とシェンスー（Shenshu）を加える。チ（Qi）と血液が欠如している場合には、ゲシュ（Geshu）とピシュ（Pishu）を加える。痰湿度がによどみがある場合には、フェンロン（Fenglong）とピシュ（Pishu）を加える。肝臓ヤン（Yang）が過剰な場合には、タイチョン（Taichong）とフェンチー（Fengchi）を加える。
手順：鍼療法の基本ツボにチップを塗布し、症候群差別化に従い針療法の補助ツボを、基本ツボ類と合わす。綿棒を表面液体に浸漬し、皮膚の接触領域を濡らし、チップを鍼療法のツボに塗布し、多孔質粘着テープで固定する。鍼療法のツボ上にチップを治療のセッション毎に１時間保持する。
【００５０】
３．治療結果
患者５４人中、４３人は臨床的に治癒した（患者の症状は完全に消失し、普通の生活に戻れた）。患者３８人では、これ等の症状が軽減した（患者の症状は明らかに軽減した）。患者２人では、効果を示さなかった（症状がいつものように維持された）。全有効性率は９６．２％で、治癒の平均継続期間は１８日であった。
【００５１】
先行の疾患以外に、この発明者は又広東シャンワイ伝統的漢方医学病院（Guangdong Shanwei Hospital for Traditional Chinese Medicine）の医師達との協力により、本チップを脳卒中の患者５０人の治療を始めた。治療効果は納得のいくものである。
【００５２】
１．臨床データについて
患者５０人中、男性３８人、女性１２人であった。最年少患者は３３才、最年長は７６才であった。患者４６人の疾病経過は３ヶ月以下であり、４人は３ヶ月以上であった。３０人は真性卒中を患い、２０人は脳血栓を患った。
【００５３】
２．治療について
２．１鍼療法の基本ツボ類：シューゴウ（Shuigou）、ネイコワン（Neiguan）、ラオゴン（Laogong）、キチ（Quichi）、ウェイチョン（Weizhong）。片麻痺の場合には、チャンユー（Jianyu）、ヘグー（Hegu）、ワイコワン（Waiguan）、ホワンチアオ（Huantiao）、ヤンリンカン（Yanglingquan）、ズーザンリ（Zusanli）、チエシ（Jiexi）、クンラン（Kunlun）、タイチョン（Taichong）を加える。顔面片麻痺の場合には、ディカン（Dicang）又はチアチェ（Jiache）、ヘグー（Hegu）、ネイティン（Neiting）、チェンチ（ChengQi）、ヤンバイ（Yangbai）、クアンズー（Cuanzhu）、クンラン（Kunlun）、ヤンラオ（Yanglao）を加える。会話が不明瞭な場合には、リアンカン（Lianquan）、トンリ（Tongli）、イエメン（Yamen）、フェンフー（Fengfu）、チアツー（Tiantu）及びサンインチャオ（SanYinjiao）を加える。
２．２  手順：鍼療法の基本ツボ類にチップを塗布し、症候群差別化に従い針療法の補助ツボ類を基本ツボ類と合わす。綿棒を表面液体に浸漬し、皮膚の接触領域を濡らし、チップを鍼療法のツボに塗布し、多孔質粘着テープで固定する。鍼療法のツボ上にチップを治療セッション毎に１時間保持する。治療のセッション毎に、４乃至５個所の鍼療法のツボを用い、その鍼療法のツボを交互に入れ替える。一日一回、１０セッションで一治療単位が形成される。次回の治療投与前に、二日間の間隔が必要である。
【００５４】
３．有効性の判定基準
治癒：明確な発音、支えなしでの歩行、上肢を起こせ、且つ商品を掴め、介護なしの生活をもたらし、全てが大丈夫という感情を有する。
明確な有効性：比較的明確に発音でき、支えにより歩行でき、商品は掴めるがこぶしがひ弱な感じで、僅かな介護で生活可能で、手足が時々不快に感じる。
幾らかの確かな有効性：明確な発音はできないが表現でき、四肢の筋力で幾らかの改善があるが機能のリハビリは低く、介護により生活可能。無効：治療後症状と兆候の維持。
【００５５】
４．これらチップによる治療結果
患者１７人（３４％）が治癒；患者１６人（３２％）が明白な有効性を示し、患者１２人（２４％）が幾らか確かな有効性を示し、患者５人（１０％）が無効であった。全有効性率は９０％であった。少なくとも一回の治療単位を実施し、最長期のものは９回の治療単位であった。平均では３．８回の治療単位であった。
【００５６】
疾患とチップ有効性間の関係は、表１を参照。疾患経過とチップ有効性間の関係は表２を参照。
【００５７】
2009514570.tif 000002
【００５８】
2009514570.tif 000003
【００５９】
ＩＩ．本発明者はチップによる便秘型過敏性腸症候群治療するためにシーメン郡人民病院（People's Hospital of Shimen County）の医師と協力した。治療効果は満足できる。
【００６０】
１．データと治療
１．１  治療データについて
２００４年１０月から２００５年６月の間、病院消化器部門に通った過敏性腸症候群を有する患者５０人をこのチップで治療した。全患者は便秘をもたらす腸又は全身のいずれかで基質性変化が起こるのを除去するために、臨床検査、バリウムかゆ検査及び大腸内視鏡検査を行った。全患者は１９９８年ローマ条約が指定する基準を満たした。男性１８人、女性３２人であった。最年長は６３才で、最年少は１５才であり、平均年齢は３７才であった。最長疾患経過は２０年であり、最短は半年であり、平均疾患経過は５年であった。
【００６１】
１．２  症候群差別化により患者を治療した。
患者は二つの型に分けられた。肝臓―気（liver-Qi）のよどみと、心臓と脾臓両者の欠乏。
肝臓―気（liver-Qi）のよどみ：乾燥糞便又はより少ない乾燥糞便、難糞便、一週間に３回以下の不定期糞便、又はより悪い場合には一週間に一回の排便。鼓腸、苦み、めまい、気分変動による症状を伴う腹膨満と脇腹痛。舌テクスチャーが青白く、その皮が弱い白色で、脈拍が細かく弱い。患者５０人中、２１人は肝臓―気（liver-Qi）よどみの基準に適合し、４２％を占め、２９人が心臓と脾臓両者欠乏の基準に適合し、５８％を占めた。
【００６２】
１．３  治療について
全患者は不安と憂鬱の解放を助けるための心理学的カウンセリングと、より多くの植物繊維の摂取を助けるための食事調整を受けた。全患者には定期的排便による合理的な糞便習慣を知らせ、喫煙せず、又排便時に読書しなかった。化学薬品又は薬草投薬の全ては停止した。先行する活動に基づき、患者は症候群差別化によりリハビリテーションチップによる治療を受けた。
【００６３】
鍼療法の基本ツボ類は二者的にダッハガンシュ（Dachangshu）、ズーザンリ（Zusanli）及びゾンガン（Zhongwan）であった。肝臓―気（liver-Qi）のよどみに関しては、二者的に一掃手技（シェファ（Xiefa））を有するインリンカン（Yinlingquan）とシャンジアン（Xiangjian）心臓と脾臓両者の欠乏に関しては、二者的にサンインチャオ（SanYinjiao）とコワンユアン（Guanyuan）を加えた。表面液体に綿棒を浸漬し、皮膚の接触領域を濡らし、チップを鍼療法のツボに塗り、粘着テープで固定した。一回の治療セッション毎に一時間鍼療法のツボ上にチップを保持した。一日一回、１０日間で一治療単位が形成される。２回セッション前毎に２日の間隔が必要である。一エピソードの観察を二ヶ月間継続した。
【００６４】
２．有効性判断の基準と結果
２．１  有効性の判定基準
明白な有効性：症状の消失；二ヶ月以内は再発なしで正常排便の保持。
幾らか確かな有効性：症状が著しく軽減される；二ヶ月以内には再発なしで、比較的正常な排便の保持。
無効：治療後不変のままであるか、又は投薬療法を保持する必要がある。
【００６５】
２．２  結果
肝臓―気（liver-Qi）のよどみを有する患者５０人中、患者１５人が明白な有効性を示し、患者４人が幾らか確かな有効性を示し、患者２人が無効であった。心臓と脾臓両者の欠乏を有する患者１６人中、患者１６人が明白な有効性を示し、患者９人が幾らか確かな有効性を示し、患者４人が無効であった。症候群差別化とは無関係に、明白な総合的有効性率は６１％（患者３１人）で、無効率は１２％（患者６人）で、一般的有効率は８８％であった。
【００６６】
ＩＩＩ．本発明者は又チップによる高血圧症を治療するために常徳（Changde）市伝統漢方医学第二病院の医師と協力した。
【００６７】
１．臨床データについて    
患者６６人中、男性４１人、女性３５人であった。患者１人が４５才より若く、２２人は４５乃至５５才であり、４２人は５５才以上であった。最短疾患経過は半年であり、最長期は９年であった。イン（Ying）高血圧症の分類する基準は、心循環器疾患に関する１９７８年の国内会議と同様に、世界保健機関（ＷＨＯ）で規定された。患者１２人が段階Ｉ、患者４７人が段階ＩＩ、患者７人が段階ＩＩＩであった。
【００６８】
２．治療について
２．１  適応鍼療法のツボ類：ターチュイ（Dazhui）、ネイコワン（Neiguan）、チャンヤキュ（Jinagyaxue）、タイチョン（Taichong）、ヘグー（Hegu）、フェンチー（Fengchi）（全て二者的）、カンシュー（Ganshu）、バイホイ（Baihui）
２．２  手順：表面液体に綿棒を浸漬し、皮膚の接触領域を濡らし、チップを鍼療法のツボに塗り、多孔質粘着テープで固定した。一回の治療セッション毎に一時間鍼療法のツボ上にチップを保持した。治療各セッションで４乃至５つの鍼治療のツボを用い、鍼療法のツボを交互に用いた。一日一回、１０日間で一治療単位を形成した。治療中、喫煙、アルコール及びいらだちを自制し、尿と糞便の排出を保ち、いずれの他治療を停止した。
【００６９】
３．有効性の判定基準と治療結果            
患者６６人の半年間治療後、患者４７が治癒した。頭痛とめまいが消失し、血圧が正常レベルに戻り、追跡で半年以内に再発しなかった。患者１８人が明白な有効性を示した。頭痛とめまいが消失し、血圧が正常レベルに戻ったが、追跡で半年以内に再発した。患者６人が幾らか確かな有効性を示した。頭痛とめまいが軽減したが、血圧は正常レベルと正常点外間を変動した。患者５人は無効であった。血圧は正常レベルの戻らないか、又は時々症状を軽減したが正常範囲に保持できなかった。一般的有効性率は９２％で、治癒率は７１％であった。
【００７０】
ＩＶ．本発明者はチップによる冠疾患を治療するために常徳（Changde）市伝統漢方医学第一病院の医師と協力した。
【００７１】
１．臨床データについて    
患者５０人中、男性３７人、女性１３人であった。最年長は７６才、最年少は２３才であった。患者８人は４０乃至４９才、２０人は５０乃至５９才、１６人は６０乃至６９才、３人は７０乃至７９才であった。西洋医学規定基準に従い、患者１７人が狭心症を患い、そのうち１６人が安定な狭心症を、一人が不安定な狭心症であった。１５人は不整脈を患い、そのうち患者１０人は心室性期外収縮、２人は動脈性期外収縮、一人は洞不全症候群、一人は動脈細動、一人が完全右脚ブロックであった。９人は心筋梗塞を患い、１１人はずっと以前に心筋梗塞があった。伝統的漢方医学規定基準に従い、１３人は鬱血に属し、１１人は痰による閉塞に属し、８人は気（Qi）のよどみに属し、７人は心臓―気（heart-Qi）の欠乏に属し、１１人は気（Qi）とイン（Yin）両者の欠乏に属し、５人は心臓―ヤン（heart-Yang）の欠乏に属した。
【００７２】
２．治療について
２．１  適応鍼療法のツボ：鍼療法のツボは主として心臓と心膜チャネルであり、８つのチャネル交差である鍼療法のツボと同様に、心臓と心膜に属するシャ（Xi）のツボと合わした。第一群：ジュック（Juque）、シンシュ（Xinshu）、ゲシュ（Geshu）、ネイコワン（Neiguan）、コンサン（Gongsun）及びインシー（Yinxi）；第二群：シャンチョン（Shanzhong）、ジュインシュ（JueYinshu）、サンインチャオ（SanYinjiao）及びシメン（Ximen）。この二群の代替え：痰による閉塞の場合、タイヨアン（Taiyuan）を加える。無力性風邪の場合にはシャンチョン（Shanzhong）又はゲシュ（Geshu）を加える。
【００７３】
２．２  手順：表面液体に綿棒を浸漬し、皮膚の接触領域を濡らし、チップを鍼療法のツボに塗り、多孔質粘着テープで固定した。一回の治療セッション毎に一時間鍼療法のツボ上にチップを保持した。一日一回、１０日間で一治療単位を形成した。観察セッションは３回の治療単位からなる。
【００７４】
２．３  有効性の定の基準
２．３．１  狭心症治療に関して心電図（ＥＣＧ）で示される有効性の判定基準
狭心症治療に関して心電図（ＥＣＧ）で示される有効性評価の１９７９年の国内基準
２．３．２  主症状（窒息痛み、動悸及び息切れ）に関する有効性の判定基準：明白な有効性：症状の完全又はほぼ完全な消失。軽減：症状が明白に軽減される。無効：治療後症状が変化なしのままである。悪化：治療後症状が悪化する。
２．３．３  有効性の判定基準は、ランタナ根化合物の研究に関する１９７４年の上海協力委員会に従う血中脂質量指数による。
【００７５】
３．結果
３．１  主症状での有効性（表１参照）
３．２  漢方医学（ＴＣＭ）の症候群差別化での有効性（表２参照）
３．３  血中脂質量指数での有効性：過剰高コレステロールを有する患者３０人の内、２３人で有効性が示された。過剰高トリグリセライド（ＴＧ）を有する患者２０人の内、１０人で有効性が示された。
【００７６】
2009514570.tif 000004
【００７７】
2009514570.tif 000005
【００７８】
３．４  心電図（ＥＣＧ）変化での有効性：ＳＴ−Ｔ変化、Ｖ波の変化、心房細動、洞不全症候群、頻回心室性期外収縮、頻回心房性期外収縮及び完全右脚ブロックを含む心電図での全障害を緩和した。
【００７９】
３．５  心臓機能での有効性：左室駆出時間（ＬＶＥＴ）の延長、前駆出期（ＰＥＰ）とＴＩＣＴの短縮、前駆出期（ＰＥＰ）／左室駆出時間（ＬＶＥＴ）の後退を有する心臓機能の全障害を緩和した。
【００８０】
Ｖ．本発明者はチップによる老年認知症を治療するために医師メイリ（Meili）とリューコワン（Liu Guang）と協力した。
【００８１】
１．臨床データについて    
患者７６人の中で、男性４６人、女性３０人であった。彼らの年齢は５９才と７８才の間で、平均年齢は７３才であった。その疾患経過は９ヶ月から８年継続し、平均で２年８ヶ月であった。
【００８２】
２．治療について
鍼療法のツボ：バイホイ（Baihui）、シシェンコン（Sishencong）、ターチュイ（Dazhui）、コワンユアン（Guanyuan）
手順：表面液体に綿棒を浸漬し、皮膚の接触領域を濡らし、チップを鍼療法のツボに塗り、粘着テープで固定した。一回の治療セッション毎に一時間鍼療法のツボ上にチップを保持した。一日一回、１０日間で一治療単位が形成される。次回の治療投与前に、２日の間隔が必要である。通常の治療経過は２乃至３ヶ月であった。患者はこのチップ治療使用中、高血圧緩和錠剤、減脂薬物、糖低下薬物、血小板凝集阻害薬物を含む他の薬物が許された。
【００８３】
３  結果
有効性の判定基準
治癒：症状の消失、介護なしの生活をもたらし、正常な社会活動を保持。
明白な有効性：症状は軽減されるが、いまだ反応、知力の遅滞を患い、介護なしでの生活は得られない。
無効：治療後症状と兆候が変化なしのままである。
【００８４】
４．治療結果
患者７人が治癒し、３３人が明白な有効性を示し、患者２６人が幾らか確かな有効性を示し、患者１０人が無効であった。疾患経過が一年以下の患者１９人中、６人は治癒し、９人は明白な有効性を示した。無効な患者全てが、３年以上の疾患経過を有した。有効性率は８６％であった。
【００８５】
ＶＩ．本発明者はチップによる慢性腸炎を治療するために医師タンコワングー（Tang Guanghua）と協力した。
【００８６】
１．臨床データについて    
患者６４人中、男性３８人、女性２６人であった。患者８人は３０乃至４０才、１８人は４１乃至５０才、２６人は５１乃至６０才、１２人は６１才以上であった。最短疾患経過は一年で、最長は１２年であった。慢性腸炎の確認基準は、（１）急性腸炎の病歴又は腸炎再発、（２）腸炎発症時に、患者は慢性栄養不良と腹部圧痛を伴う下痢と腹痛を患った。ルーチン検便で白血球と僅かな膿菌を示した。（３）Ｘ線バリウムかゆ検査と大腸内視鏡検査を用いて、他の非特異的腸炎は除外された。
【００８７】
２．治療について
２．１  適応鍼療法のツボ：へそ周囲の４つの鍼療法のツボ、ゾンガン（Zhongwan）、ティエンシュ（Tianshu）、コワンユアン（Guanyuan）、ズーザンリ（Zusanli）、シャンジュス（Shangjuxu）、シェンスー（Shenshu）、ピシュ（Pishu）、ダッハガンシュ（Dachangshu）、キチ（Quichi）、サンインチャオ（SanYinjiao）。
２．２  手順：先行の鍼療法のツボは二群に分かれた。第一群：へそ周りの４つの鍼療法のツボ、ゾンガン（Zhongwan）、ティエンシュ（Tianshu）、コワンユアン（Guanyuan）、ズーザンリ（Zusanli）、シャンジュス（Shangjuxu）、ヘグー（Hegu）、サンインチャオ（SanYinjiao）。第二群：ピシュ（Pishu）、シェンスー（Shenshu）、ダッハガンシュ（Dachangshu）、ズーザンリ（Zusanli）、シャンジュス（Shangjuxu）、ヘグー（Hegu）。使用時に二群を交互に用いる。表面液体に綿棒を浸漬し、皮膚の接触領域を濡らし、チップを鍼療法のツボに塗り、多孔質粘着テープで固定した。一回の治療セッション毎に一時間鍼療法のツボ上にチップを保持した。各セッションで４乃至５つの鍼療法のツボを用いる。１０セッションで一治療単位が形成される。
【００８８】
３．治療結果
有効性の判定基準
治癒：大便が正常形状を保持し、一日一回排便した。軽減：大便が正常形状を保持し、一日二回排便した。無効：大便は変化なしのままであった。
患者６４人中、患者３１人は治癒し、４８．４％を占めた。患者２８人が軽減され、４３．７％を占めた。患者５人は無効で、７．９％を占めた。一般的有効性率は９２．１％であった。
【００８９】
ＶＩＩ．本発明者はチップによる慢性前立腺炎を有する患者６８人を治療するために天津（Tianjin）市人民病院の医師と協力した。
【００９０】
１．臨床データについて
患者６８人全ては、２００４年６月から２００５年６月の間に病院への付添人で、大部分は化学薬品又は薬草投薬のいずれかを用いて治療を受けた。最年少患者は１７才、最年長は７６才であった。患者３人は２０才以下であった。患者５人は２１至３０才であり、８人は３１乃至４０才、１７人は４１才乃至５０才、患者３５人は５０才以上であった。最短治療経過は半年であり、最長は２０年であった。患者５７人は既婚、１１人は未婚であった。主な訴えとしては、背と臀部の痛みと腫れ痛み、下腹部と会陰部の圧下痛、頻尿、難排尿、排尿漏れが挙げられた。患者６人は重症の神経性神経衰弱と性的障害を併発した。顕微鏡による前立腺液検査：患者２８人が白血球（＋）を示し、患者２１人が白血球（＋＋）を示し、患者１５人が白血球（＋＋＋）を示し、患者４人が白血球（＋＋＋＋）を示した。患者３２人が前立腺肥大を有し、患者２人が前立腺結石を有した。
【００９１】
２．治療について
２．１  鍼のツボ：鍼療法の基本的ツボ：シヤオチャンシュ（Xiaochangshu）、パンコワンシュ）（Pangguangshu）、ピシュ（Pishu）、キライオ（Ciliao）、コワンユアン（Guanyuan）、ゾンジ（Zhongji）。補助的鍼療法のツボ：インリンカン（Yinlingquan）、サンインチャオ（SanYinjiao）、タイシー（Taixi）。過剰な内臓には、クグ（Qugu）、ワイグ（Waigua）を加える；内臓の欠乏には、シェンスー（Shenshu）、ズーサンリ（Zusanli）を加える。
２．２  手順：表面液体に綿棒を浸漬し、皮膚の接触領域を濡らし、チップを鍼療法のツボに塗り、多孔質粘着テープで固定した。一回の治療セッション毎に一時間療法のツボ上にチップを保持した。
各セッションで４乃至５つの鍼療法のツボを用い、鍼療法のツボを交互に用いる。一日一回、１０日間で一治療単位が形成される。次回の治療投与前に、３乃至５日の間隔が必要である。鍼療法のツボとムー（Mu）（収集）ツボの両者を用いる場合、最初に針を腹臥位に置き、次いで仰臥位に置く。更に煩雑には、各セッション毎に一つの姿勢だけを用いる。
【００９２】
３．有効性の観察
３．１  有効性の判定基準
治癒：自己感知症状の消失、顕微鏡下で正常検査な前立腺液が保持される。
明白な有効性：症状が消失し、３以下の白血球（ＷＢＣ）／高倍率（ＨＰ）が見いだされる。軽減：症状が明白に軽減され、４乃至６の白血球（ＷＢＣ）／高倍率（ＨＰ）が見いだされる。無効：症状と顕微鏡下の知見が変化しないままである。
３．２  治療結果：２乃至３回の治療単位後、患者１８人が治癒し、２６．５％を占め、患者２１人で明白な有効性を示し、３０．９％を占め、患者２２人でその症状が軽減し、３２．３％を占め、患者７人で無効で、１０．３％を占めた。一般的有効性率は８９．７％であった。年齢区分の変化による有効性は、表１参照。
【００９３】
2009514570.tif 000006
【００９４】
ＶＩＩＩ．本発明者はチップによる慢性腎炎とネフローゼを治療するために貴陽単科大学（GuiYang College）伝統漢方医学第一付属病院の医師と協力した。
【００９５】
１．臨床データについて    
患者５２人をチップ治療群に、他の患者４７人を対照として薬物治療群に無作為化した。慢性糸球体腎炎（ＣＧＮ）は、遅い発症が現れ、疾患経過が長期化し、僅かか又は多くのタンパク尿、血尿、円柱尿、浮腫、高血圧症及び腎不全を有する通常型、先行知見以外に非常に高い血圧に達する高血圧型と、慢性疫病経過での突発型で、慢性疫病経過で急性腎炎特性が現れる型に分けられた。ネフローゼ症候群（ＮＳ）は常に多量のタンパク尿（≧３．５ｇ／２４時間）、低タンパク血（血清アルブミン＜３０ｇ／Ｌ）、高脂血及び明白な浮腫を伴った。全患者は糸球体疾患に関する１９８５年の国内会議（南京）に従う一定の形に分類された。幾つかは病理解明のために腎バイオプシーを行った。リハビリテーションチップによる治療群は以下を含んだ：通常型慢性糸球体腎炎（ＣＧＮ）を有する患者２０人、慢性疾患経過時での突発型を有する患者１２人、著しい高血圧を有する患者５人。対照としての薬物治療群は：通常型慢性糸球体腎炎（ＣＧＮ）を有する患者１８人、慢性疾患経過時での突発型を有する患者１２人、著しい高血圧を有する患者４人、及びネフローゼ症候群（ＮＳ）を有する患者１３人。
【００９６】
２．治療について
リハビリテーションチップ治療群：シェンスー（Shenshu）、パンコワンシュ（Pangguangshu）、サンジオシュー（Sanjiaoshu）、コワンユアン（Guanyuan）、チーハイ(Qihai)、サンインチャオ（SanYinjiao）シュイトン（Shuitong）、シェンジュ（Shejune）、ホイイン（HuiYin）クグ（Qugu）。手順：表面液体に綿棒を浸漬し、皮膚の接触領域を濡らし、チップを鍼療法のツボに塗り、多孔質粘着テープで固定した。一回の治療セッション毎に一時間鍼療法のツボ上にチップを保持した。各セッションで４乃至５つの鍼療法のツボを用い、鍼療法のツボを交互に用いる。一日一回、１０日間で一治療単位が形成される。この群の患者は又ルーチン治療、即ちイノシン０．２ｇと、リュワイエデフアン混合飲料（必要な場合には幾つかの成分を加えるか除去する）を一日三回投与し、浮腫治療にジヒドロクロロチアジドを用い、水分貯留を除き、高血圧の軽減にニフェピンとカプトプリルを用いた。対照群はルーチン治療のみを受けた。
【００９７】
３．有効性の基準
３．１  有効性観察のためのパラメーター：ルーチン尿検査、２４時間尿中のタンパクの定量、β２βミクログロブリン（ＭＧ）、尿β２ミクログロブリン、ルーチン血液検査、血中クレアチニン、血中尿素窒素、補体、免疫グロブリン（Ｉｇ）及びレノグラム。
３．２  有効性の判定基準：治療後以下の知見により有効性が示され、それに基づいて有効性率を計算した：尿タンパク質の観察測定は陰性で、２４時間の尿中タンパク質の定量測定は１５０ｍｇ以下であり、正常腎機能と正常な免疫試験。血圧低下、尿タンパク質の低下、及び腎機能の改善は有効性の判定では検討しなかった。
【００９８】
４．治療結果
リハビリテーションチップ使用の１乃至３回の治療単位後、尿中タンパク質は患者３９人（７５％）消失した。通常型ＣＧＮを有する患者２０人の内１７人で有効性が示され、慢性疾患経過で突発型を有する患者１２人中、９人で有効性が示され、著しい高血圧を有する患者５人中一人で有効性が示され、ＮＳを有する患者１５人中、１２人で有効性が示された。対照群に関しては、患者１６人（３４％）の尿中タンパク質が消失した。通常型ＣＧＮを有する患者１８人の内、４人で有効性が示され、慢性疾患経過で突発型を有する患者１２人中、４人で有効性が示され、著しい高血圧を有する患者４人の誰もが無効を示し、ＮＳを有する患者１３人中、８人で有効性が示された。チップで治療した患者バイオプシーにより、大部分で特徴ある微少病変、腸管組織の穏やかな増殖、及び膜様ネフローゼという特色を示した。有効性を示す全患者で、クロム、血中尿素窒素、Ｃ３で正常値を示し、レノグラムは好ましいプロフィールを示した。大部分の患者は持ちこたえた。
【００９９】
二群間の有効性率は有意に異なり（u＞２．５８、Ｐ＜０．０５）、チップと薬物の治療群は薬物のみの治療群より優れていた。バイオプシーを行った患者の希少なため、病理型と有効性の関連は得られなかった。しかし尿中タンパク質の結果は病理的分類と関連した。
【０１００】
ＩＸ．本発明者はチップによる三叉神経痛を有する患者５６人を治療するためにリンリ（Linli）伝統漢方医学病院の医師と協力した。
【０１０１】
１．臨床データについて
三叉神経痛を有する患者５６人を治療した。男性２０人、女性３６人であった。最年長は７８才、最年少３５才であった。患者５人が眼神経で、１５人が上顎神経で、１６人が下顎神経で痛みを患った。２０人は複合であった。最短疾患経過は一ヶ月で、最長は１０年であった。患者４８人は一次で、８人は二次であった。３人はコレステリン腫を患い、５人が帯状疱疹ウイルス感染による眼神経残留痛を患った。
【０１０２】
２．治療について
眼神経に対して：ユーヤオ（Yuyao）とシャコワン（Xiaguan）は鍼療法の基本ツボであり、ヤンバイ（Yangbai）、シャンシン（Shangxing）、ヘグー（Hegu）、ネイティン（Neiting）と合わした。上顎神経と下顎神経に対して：シバイ（Sibai）、シヤコワン（Xiaguan）、ディカン（Dicang）、チャチェジアン（Jiachengjiang）、ヘグー（Hegu）、ネイティン（Neiting）。頭部と顔面の損傷に対しては、疼痛側鍼療法のツボを用いた。ヘグー（Hegu）とネイティン（Neiting）を二者的に用いた。一日一回、１０日間で一治療単位が形成される。患者は次回の治療単位の投与前に、３乃至５日休息した。
【０１０３】
３．有効性の基準
臨床的治癒：顔面痛の完全消失。
明白な有効性：顔面痛は格段にまれになる。
軽減：顔面痛が軽減され且つまれになる。
無効：治療後も顔面痛の重症度と頻度が変わらないままである。
【０１０４】
４．治療結果
患者３８人がカルバマゼピンを経口投与し、低い効果のため停止した。チップによる治療単位間中、カルバマゼピンをやめた。カルバマゼピンを投与しない患者１８人に、チップによる治療単位間中、カルバマゼピン０．１ｇ付け値を投与した。チップ使用の最小セッションは６回であり、最大は２０回であった。４２人は臨床的に治癒し、７５％を占め、患者９人で明白な有効性が示され、１６．１％を占め、患者５人で軽減し、８．９％を占め、チップ治療した者いずれでも無効ではなかった。一般的有効性率は１００％であった。患者４２人は続く半年以内に再発せず、患者１１人は３乃至４ヶ月以内に再発したが、軽い症状であり、症状はチップによる別の５乃至１０セッションで消失した。コレステリン腫を有する患者３人は手術のために他の病院を紹介し、追跡データに欠けた。
【０１０５】
Ｘ．本発明者はチップによる頭痛を有する患者１２０人を治療するために安順（Anshun）３０２病院の医師と協力した。
【０１０６】
１．臨床データについて
患者１２０人中、男性３９人、女性８１人であった。最年少患者は２０才、最年長は７０才であった。最短疾患経過は５時間、最長は２０年であった。
【０１０７】
２．治療について
２．１  鍼療法の基本ツボはフェンチー（Fengchi）、バイホイ（Baihui）であり、症候群差別化に従い他の鍼療法のツボと合わした。患者は臨床的に以下に分類された。（１）外部風による疾患：風に遭遇すると頭痛が発生し、痛みが襲った。これらはフェンフー（Fengfu）、リーケ（Lieque）、ワイコワン（Waiguan）、ヘグー（Hegu）と合わした。（２）肝臓―ヤン（Yang）：片側疼痛で頭頂部を含む。これらはシシェンコン（Sishencong）、タイチョン（Taichong）及びシュクワン（Shiquan）と合わした。（３）鬱血：治療抵抗性疼痛と刺す痛み。これらはサンインチャオ（SanYinjiao）とアシキュー（Ashixue）と合わした。
２．２  手順：表面液体に綿棒を浸漬し、皮膚の接触領域を濡らし、チップを鍼療法のツボに塗り、多孔質粘着テープで固定した。一回の治療セッション毎に一時間鍼療法のツボ上にチップを保持した。一日一回、１０日間で一治療単位が形成される。次回の治療投与前に、２日の間隔が必要である。一回の治療単位後に有効性を分析する。
【０１０８】
３．有効性の判定基準
３．１  治癒：痛みが完全に消失し、半年以内に再発しない。明白な有効性：痛みは明白に軽減し、頻度が低下する。幾らかの確かな有効性：痛みが軽減し頻度が低下する。無効：痛みは変わらないままでる。
３．２  治療結果：患者１２０人中、患者９６人が治癒し、８０％を占めた。患者１８人で明白な有効性が示され、１５％を占めた。患者６人で幾らか確かな有効性が示され、５％を占めた。有効性率は１００％であった。
【０１０９】
ＸＩ．本発明者はチップによる胃潰瘍又は十二指腸潰瘍を有する患者５０人を治療するために常徳（Changde）市伝統漢方医学第一病院の医師と協力した。治療効果は満足であった。
【０１１０】
１．患者と治療について    
１．１  患者の選択：患者８０人全員が、胃潰瘍又は十二指腸潰瘍に対する基準を満たした。彼らを二群に無作為化した。治療群は患者５０人を有した。男性３５人、女性１５人で、年齢は２４才と６２才の間であり、平均は３５．５±１１．３才であった。疾患経過は半年乃至２０年で、平均で６．４±２．８年であった。患者１９人は胃潰瘍を患い、患者２６人は十二指腸潰瘍を患い、患者５人は複合潰瘍を患い、患者４４人は便中潜血が陰性であり、患者４人は弱い陽性結果であり、２人は陽性結果であった。対照群は患者３０人を有する。男性１８人、女性１２人であり、年齢は２０才乃至６８才で、平均で３４．４±１２．４才であった。疾患経過は４ヶ月乃至１８年で、平均で６．５±３．０年であった。患者１０人は胃潰瘍を患い、患者１３人は十二指腸潰瘍を患い、患者７人は複合潰瘍を患い、患者２５人は便中潜血が陰性であり、患者３人は弱い陽性結果であり、２人は陽性結果であった。二群の差異の試験でＸ２を用いて非有意性であり（Ｐ＞０．０５）、同程度であった。
【０１１１】
１．２  治療について
治療群に対して：第一群：ズサンリ（Zusanli）、ネイコワン（Neiguan）、コンサン（Gongsun）。第二群：ゾンガン（Zhongwan）、ピシュ（Pishu）、ワイシュ（Weishu）。胃痛の場合にはリアンツー（LiangQiu）を加え、胃風邪の場合には上位と下位ゾンガン（Zhongwan）を加え、膨満の場合にはティエンシュ（Tianshu）を加え、酸過多嘔吐の場合にはタイチョン（Taichong）を加え、便秘の場合にはジーゴウ（Zhigou）を加え、不眠症の場合にはシェンメン（Shenmen）を加え、倦怠感の場合にはチーハイ（Qihai）を加えた。二群の鍼治療のツボを一日に一度交互に用いた。
表面液体に綿棒を浸漬し、皮膚の接触領域を濡らし、チップを鍼療法のツボに塗り、多孔質粘着テープで固定した。一回の治療セッション毎に一時間鍼療法のツボ上にチップを保持した。一日一回、１０日間で一治療単位が形成され、チップ治療後２ヶ月間治療を維持した。
対照群に対しては、補助的手技又は一掃手技を用いる以外は、治療群と同じ鍼療法のツボを用いた。出血性胃潰瘍（軽い）に対しては、幾らかの薬物を用いても良い。
【０１１２】
１．３  観察パラメーター：潰瘍病変（胃鏡検査法）、及び幾らかの症状（腹痛、酸過多嘔吐）
【０１１３】
１．４  １９９４年の中国人民共和国伝統漢方医学国家運営局発行で伝統漢方医学による治療疾患に対する有効性の判定標準に従う有効性の判定基準。
臨床的に治癒：胃鏡検査法で潰瘍病変の治癒が見られ、症状が消失する。明白な有効性：潰瘍病変が収縮するか、又は胃鏡検査法で瘢痕が見いだされ、症状が消失するか軽減する。軽減：病変は収縮しないが、胃膜の鬱血と浮腫が軽減し、症状は軽減する。無効：潰瘍は変化なしのままである（病変と症状が変わらないままである）。
【０１１４】
２．結果：結果に関しては、表１と表２を参照。
【０１１５】
2009514570.tif 000007
【０１１６】
2009514570.tif 000008
【０１１７】
ＸＩＩ．本発明者はチップによる血管性頭痛を治療するためにチンシー（Jinshi）郡人民病院の医師と協力した。
【０１１８】
１．臨床データについて
患者１２０人中、男性３５人、女性８５人であった。最年少は１８才、最年長は７６才であった。最長治療経過は１０年継続し、最短経過は一日であった。
【０１１９】
２．治療について
鍼療法のツボは４群に分類された。第一群：インタン（Yintang）、ヨンクアン（Yongquan）、ヘグー（Hegu）。第二群：インタン（Yintang）、フォンチ（Fengchi）、ゾンガン（Zhongwan）。第三群：ネイコワン（Neiguan）、イーフォン（Yifeng）、タイヤン（TaiYang）。頭部全体の頭痛に対しては、鍼治療のツボをヘアラインに沿って加える。第四群：フォンチ（Fengchi）、ネイコワン（Neiguan）、タイヤン（TaiYang）、シューアイグ（Shuaigu）。
手順：表面液体に綿棒を浸漬し、皮膚の接触領域を濡らし、チップを鍼療法のツボに塗り、多孔質粘着テープで固定した。一回の治療セッション毎に一時間鍼療法のツボ上にチップを保持した。一日一回、１０日間で一治療単位が形成された。二回セッション毎の前に二日間の間隔が必要であり、二治療単位後に治療効果を評価した。
【０１２０】
３．有効性の観察と結果
有効性の判定基準
臨床的に治癒：痛みが消失し、普通の生活に戻り、痛みが以後半年以内に再発しない。明白な有効性：痛みが消失し、普通の生活に戻るが、痛みが以後半年以内に再発する。幾らか確かな有効性：痛みは軽減するが、けん怠といらだちの場合に劣化し、時々再発する。無効：痛みは変わらないままである。
【０１２１】
４．治療結果
患者１２０人が治癒。患者２０人が明白な有効性を示した。患者２０人が幾らか確かな有効性を示した。患者１２人が無効であった。患者３人。一般的有効性率は９７．５％の高さであった。
【０１２２】
ＸＩＩＩ．本発明者はチップによる気管支喘息の患者４８人を治療するために医師デュアンチャンジュ（Duan Changjiu）と協力した。
【０１２３】
１．臨床データについて
患者４８人中、男性２０人、女性２８人であった。最年少は６才、最年長は６５才であった。最長治療経過は２７年継続し、最短経過は６ヶ月であった。患者３６人は黄色痰により、１２人は喘鳴によった。
この疾患は大部分が悪の蝋と生来の衰えにより、発症時に過剰の内臓が現れ、冷特性又は熱特性のいずれかを示す。症状は息切れ、胸部窒息であり、喘鳴、大声の会話、強い脈拍であり得る。冷特性を示す人では、その唾液は冷たく且つ弱く、冷たさの兆候により複雑になる。熱特性を示す人では、より多くの呼息とより少ない吸息となり、運動により悪化し、息切れ、倦怠感、暗い顔色、弱い脈拍となる。長期化した疾患経過により脾臓と腎臓を痛め、脾臓と腎臓両者の欠乏で複雑化する。
【０１２４】
２．治療について
鍼療法のツボ：ネイコワン（Neiguan）、ティアンツ（Tiantu）、ディングシュン（Dingchuan）、シャンチョン（Shanzhong）、フェイシュ（Feishu）、チーゼ（Chize）、ズーザンリ（Zusanli）、ユージ（Yuji）、イエズ（Yezui）、リーケ（Lieque）。４乃至５個所の鍼療法のツボを交互に用いる。
治療：表面液体に綿棒を浸漬し、皮膚の接触領域を濡らし、チップを鍼療法のツボに塗り、多孔質粘着テープで固定した。一回の治療セッション毎に一時間鍼療法のツボ上にチップを保持した。一日一回、１０日間で一治療単位が形成された。
【０１２５】
３．治療の有効性
３．１  有効性の判定基準
明白な有効性：症状が半年以内に再発なしで除かれるか、又は時々再発するが非常に僅かであり、抗喘息薬物なしで緩和できる。
軽減：症状が明白に軽減され、症状があちこちで起こっても普通の生活に戻れ、抗喘息薬物が著しく減少する。
無効：症状が三回の治療単位後も変わらないままである。
３．２  治療結果
患者１５人が明白な有効性を示し、３１．５％を占めた。患者３０人が幾らか確かな有効性を示し、６３％を占めた。患者３人は無効であり、６％を占めた。一般的有効性率は９４％であった。
【０１２６】
2009514570.tif 000009
【０１２７】
補助代替え医学（ＣＡＭ）の他手順に比べ、このチップはより有効であり、以下のような追加の利点に恵まれる。
３．２．１  針と薬物を使用しなく、いずれの副作用又は毒作用がない。観血的手順より優れ、非有害性と環境配慮に対する必要性を満たす。
３．２．２  電気と機械部品を使用せず、損傷と維持が不必要。電気機械の同等者より優れている。
３．２．３  自己リハビリテーションと家庭使用で容易に使用でき、アクセスし易い。医師の手技が不必要で、不適切な治療による貧弱な結果を免れる。
３．２．４  経済的で安価：このチップは個人的に使用でき、数万回の繰り返し使用に耐え、各治療セッションで数セントしかかからない。
【０１２８】
実施例Ｉ  健康回復チップ製造と使用の方法と処理手続き
１．チップの製造法と処理手続き
１．１  チップ製造の原料は以下のもの（重量による）からなる。極性鉱物トルマリン粉末３５％、赤外線材料粉末３０％（Al2O3２０％とMgO１０％）、柔軟な磁性材料粉末（FeO）  ２０％、光触媒材料ナノメーター粉末３％（ZnO２％とTiO2１％）、希土類の複合塩LaPO4３％、酸化カルシウム５％、接着材料２％（ステアリン酸１％と亜麻油１％）及び包接化合物材料２％（液体パラフィンワックス１％と松ヤニ１％）。
１．２  極性鉱物トルマリンをごく普通のように微粉に砕き、高エネルギーボールミルに入れてすりつぶすか、又は気流石臼により６０時間粉砕する。いずれの工程によっても、結晶性粒径が５０乃至１０００ナノメーターの非常に微細な粒子となる。次いでナノメーター処理手続き後のトルマリン材料に、９００℃の温度範囲で約２時間熱処理を適用する。同様の手続きを又赤外線材料に適応する。
１．３  上に列挙の８つの材料を粉砕混合機に入れ、一時間粉砕混合する。混合した材料を所定形状に従う金型板に配置する。圧力は３０Ｍｐａである。圧縮後、形成チップを金型板から取り出し、熱処理により焼結する。熱処理は９００℃の温度で２時間行う。次いでチップを室温で自己冷却の４８時間放置し、チップが完成される。完成チップは直径２５ｍｍで厚さ４ｍｍである。
【０１２９】
２．表面液体の製造：完成チップ二つを清浄水２００ｍｌに一時間漬け、次いでその水を瓶詰めする。
【０１３０】
３．山ヒスイ突き錐の製造：中国遼寧（Liaoning）省の山ヒスイ鉱石を突き錐形状に切断研磨する。突き錐は直径０．６乃至０．８ｃｍ、長さ７ｃｍの底部と鈍い先端を有する。
【０１３１】
４．作用膜を得る製造：線状低密度ひも形状ポリエチレン（ＬＬＤＰＥ）をコーンオイルと混合し、厚さ０．１８ｍｍの延伸膜を作製する。膜を巻いて幅５ｃｍに切断する。
【０１３２】
５．基本的使用法：表面流体をチップと塗布するツボ間に置き、次いで選択したツボの上にチップを置く。作用膜を用いて覆い固定する。１０分後、このツボ上で冷感、刺し感、痛感と熱感及び赤みが起こる。これらの感じは４０分後自動的に減少する。全治療は一時間である。一セッション終了後、チップを身体から除く。この感じと赤みは、皮膚を全く痛めることなしに３０分で消失する。治療の一単位は、疾患の症状が緩和されても、一日一回、１０セッションである。１−３単位の治療を保つことが推奨される。
【０１３３】
実施例ＩＩ  健康回復チップ製造と使用の方法と処理手続き
【０１３４】
１．チップの製造法と処理手続き            
１．１  チップ製造の原料は以下のもの（重量による）からなる。極性鉱物トルマリン粉末３０％、赤外線材料粉末Al2O3２０％、柔軟な磁性材料粉末（FeO）３０％、光触媒材料（SnO１％とZnO １％）、希土類の複合酸化物CeO2３％、酸化カルシウム１０％、接着材料３％（ポリ塩化ビニル２％と松脂１％）及び包接化合物材料２％（メチルセルロース１．５％と松ヤニ０．５％）。
１．２  極性鉱物トルマリンと赤外線材料をごく普通のようにに微粉に砕き、高エネルギーボールミルに入れてすりつぶすか、気流石臼により６０時間粉砕する。いずれの工程によっても、結晶性粒径が５０乃至１０００ナノメーターの非常に微細な粒子となる。次いでナノメーター処理手続き後のトルマリン材料に、９００℃の温度範囲で約２時間熱処理を適用する。
１．３  上に列挙の８つの材料を粉砕混合機に入れ、一時間粉砕混合する。混合した材料を所定形状に従う金型板に入れる。圧力は３０Ｍｐａである。圧縮後、形成チップを金型板から取り出し、熱処理により焼結する。熱処理は９００℃の温度で２時間行う。次いでチップを室温で自己冷却の４８時間放置し、チップが完成される。完成チップは直径２５ｍｍで、厚さ４ｍｍである。
【０１３５】
２．表面液体の製造：完成チップ二つを清浄水２００ｍｌに一時間漬け、次いでその水を瓶詰めする。
【０１３６】
３．山ヒスイ突き錐の製造：中国遼寧（Liaoning）省の山ヒスイ鉱石を突き錐形状に切断研磨する。突き錐は直径０．６乃至０．８ｃｍ、長さ７ｃｍの底部と鈍い先端を有する。
【０１３７】
４．作用膜を得る製造：線状低密度ひも形状ポリエチレン（ＬＬＤＰＥ）をコーンオイルと混合し、厚さ０．１８ｍｍの延伸膜を作製する。膜を巻いて幅５ｃｍに切断する。
【０１３８】
５．基本的使用法：表面流体をチップと塗布するツボ間に置き、次いで選択したツボの上にチップを置く。作用膜を用いて覆い固定する。１０分後、このツボ上で冷感、刺し感、痛感と熱感と赤みが起こる。これらの感じは４０分後自動的に減少する。全治療は一時間である。一セッション終了後、チップを身体から除く。この感じと赤みは、皮膚を全く痛めることなしに３０分で消失する。治療の一単位は、疾患の症状が緩和されても、一日一回、１０セッションである。１−３単位の治療を保つことが推奨される。
【手続補正書】
【提出日】平成18年11月23日(2006.11.23)
【手続補正１】
【補正対象書類名】特許請求の範囲
【補正対象項目名】全文
【補正方法】変更
【補正の内容】
【特許請求の範囲】
【請求項１】
代替え医学治療用のチップで、患者の特定点に配置し、以下の材料、すなわち、極性鉱物トルマリン２０−４０％、赤外線材料３０−５０％、柔軟な磁性材料５−１０％、光触媒材料１−５％、LaPO4, NdPO4, Ce(NO3)3 及びLa(NO3)の一群を含む希土類複合塩、又はCeO2, Ce2O3, La2O3及び Nd2O3の一群を含む希土類酸化物１−５％、酸化カルシウム５−１０％、接着材料２−５％及び包接化合物材料１−５％を含む代替え医学治療用のチップ。
【請求項２】
前記チップを作製するために以下の材料、すなわち
極性鉱物トルマリン（美しいヒスイ）は、鉄トルマリン、マグネシウムトルマリン、鉄とマグネシウムトルマリン及びリチウムトルマリンを含む単一トルマリン、又は幾つかの形のトルマリンの一つ以上の混合物であり得、赤外線材料は、結晶サファイア酸化物（Al2O3）と酸化マグネシウム（MgO）の内の一つか、又は混合物のいずれかであり得、柔軟な磁性材料は、第一酸化鉄（FeO）と第二酸化鉄（Fe2O3）の内の一つか混合物のいずれかであり得、光触媒材料は以下の材料、すなわち、酸化チタン（TiO2）、酸化亜鉛（ZnO）、酸化錫（SnO）及び酸化タングステン（WO）のいずれかから選択でき、希土類複合塩又は酸化物は、希土類複合塩ではLaPO4, NdPO4, Ce(NO3)3 及びLa(NO3)の中の一つ又は一つ以上、希土類酸化物ではCeO2, Ce2O3, La2O3及び Nd2O3の中の一つ又は一つ以上であり、接着材料はステアリン酸、ポリ塩化ビニル、松脂、亜麻油及びヒマシ油の中の一つ又は一つ以上から選ばれ、包接化合物材料は、メチルセルロース、液体パラフィンワックス、松ヤニ及びポリ塩化ビニルの中の一つ又は一つ以上から選ばれる、請求項１に記載のチップ。
【請求項３】
前記チップを作製するために、極性鉱物トルマリンを、微粉末にごく普通に砕き、高エネルギーボールミルに入れてすりつぶすか、又は４８乃至７２時間気流石臼により粉砕する。いずれの工程によっても、結晶性粒径が１０ミクロンより小さい非常に微細な粒子となり、次いで５００乃至１０００℃の温度範囲で、約２乃至３時間熱処理を適用し、同様の手続きを又赤外線材料に適応する。しかし光触媒材料は、同様の処理又はナノメーター処理手続きのみで処理できる、請求項１に記載のチップ。
【請求項４】
前記チップを作製するための製造法と処理手続きは以下の通り、すなわち、請求項１の処方に記載の全材料（極性鉱物トルマリンのナノメーター粉末、赤外線材料及び光触媒材料）を粉砕混合機に入れ、少なくとも一時間粉砕混合し、次いで混合した材料を所定形状に従う金型板に配置する。圧力は２０乃至５０Ｍｐａであり、圧縮後、形成チップを金型板から取り出し、熱処理により焼結する。熱処理工程の温度は、５００乃至１０００℃で、処理時間は２乃至３時間である。次いでチップを室温で自己冷却のために４８乃至７２時間放置し、チップを完成する、請求項１に記載のチップを作製するための製造法と処理手続き。
【請求項５】
異なる大きさと形状の金型板を使用して、異なる大きさと形状のチップが作製できる、請求項２に記載のチップ。
【請求項６】
前記チップは種々の慢性疾患のリハビリテーション治療に利用でき、人体にもエコロジーと環境にも有害でなく、以下の治療、すなわち鍼灸療法、マッサージこすり療法、吸角療法、薬物ペースト、電気療法、磁力療法、赤外線療法、理学療法、めい想、中華式気功、インド式ヨガ、長期の漢方薬草薬及び西洋医薬と有効に置換できる、請求項１または２に記載のチップ。
【請求項７】
前記チップは鍼療法理論と、本発明の方法と技法に従って、人体外側上で使用し、このキットによる治療は、針、薬物、電気及び放射線を含まないという事実により、他の代替え治療より安全で、非観血的で、且つ使用が容易である、請求項３に記載のチップ。
【請求項８】
前記チップは常に化合物の芳香族シュウ酸アルデヒドを放出し、身体の皮膚細胞の特定受容体を刺激活性化し、特に芳香族シュウ酸アルデヒド受容体は、人体の鍼療法のツボでより有効で、全身系と機能を制御し、慢性疾患から回復する、請求項３に記載のチップ。
【請求項９】
前記チップは身体内部に埋め込み、鍼療法のツボの皮下組織又は身体の他部分のいずれかに配置して、特定の慢性疾患を治療できる、請求項３に記載のチップ。
【請求項１０】
健康回復チップキットは請求項１、２または３に記載のチップ、表面流体、増強膜及び山ヒスイ突き錐からなり、表面液体はチップ調整済み水から作製し、チップと身体の皮膚間の表面に塗布し、増強膜はポリエチレンテレフタレート（ＰＥＴ）で作製され、チップをツボに保持するのを助け、有効性を増加し、山ヒスイ突き錐は山ヒスイから作製し、ツボを見いだし刺激するのを助け、治療のより高い有効性を達成する、健康回復チップキット。
【請求項１１】
異なる量の材料を含むことにより、異なる強さのチップを作製し、異なる疾患や病気に適応でき、チップは柔軟で曲がりやすく作製し、身体の異なる部分に適応できる、請求項１または２に記載のチップ。
【請求項１２】
請求項３に記載の特定の疾患又は病気を見いだす身体の新規有効ツボ。
【国際調査報告】
2009514570.tif 000010
2009514570.tif 000011
2009514570.tif 000012
2009514570.tif 000013